(57)【要約】      （修正有）【課題】食品などの物品の廃棄を抑制する管理方法、管理プログラム、管理システムおよび管理装置を提供する。【解決手段】管理システム１００は、食品在庫兼廃棄履歴ＤＢ４０１、選好ルールＤＢ１２０１、選好リストＤＢ１４０１、交換履歴ＤＢ２１０１を有するサーバ１０１と、複数の利用者端末装置１０２と、複数の物品保管庫２２００と、を含み、利用者が過去に物品を廃棄した履歴に関する廃棄履歴情報を記憶し、利用者に物品を提示する際に、廃棄履歴情報に基づいて、当該物品が、廃棄した物品に該当するか否かを判断し、判断結果に基づいて、利用者に対して、注意情報を出力する。また、当該物品を他の利用者との交換対象とする。【選択図】図１
2018205985.tif 000002
【特許請求の範囲】
【請求項１】
利用者が過去に物品を廃棄した履歴に関する廃棄履歴情報を記憶し、
前記利用者に物品を提示する際に、前記廃棄履歴情報に基づいて、当該物品の全部または一部が、前記廃棄した物品に該当するか否かを判断し、
前記判断結果に基づいて、前記利用者に対して、該当する物品に関する情報を含む注意情報を出力する、
処理をコンピュータが実行することを特徴とする管理方法。
【請求項２】
利用者が過去に物品を廃棄した履歴に関する廃棄履歴情報を記憶し、
前記廃棄履歴情報に基づいて、前記利用者が購入予定として登録された物品、前記利用者が表示した電子広告情報に含まれる物品、または、使用予定の状態に設定された電子クーポンの割引対象の物品が、前記廃棄した物品に該当するか否かを判断し、
前記判断結果に基づいて、前記利用者に対して、該当する物品に関する情報を含む注意情報を出力する、
処理をコンピュータが実行することを特徴とする管理方法。
【請求項３】
利用者が過去に物品を廃棄した履歴に関する廃棄履歴情報と、当該利用者の所有物品に関する所有物品情報と、を記憶し、
前記廃棄履歴情報に基づいて、前記所有物品のうち、前記利用者が廃棄する可能性がある第１の物品を推定し、
前記第１の物品に関する情報を出力する、
処理をコンピュータが実行することを特徴とする管理方法。
【請求項４】
複数の利用者からそれぞれ、前記第１の物品と、当該第１の物品の交換対象の第２の物品の指定を受け付け、
前記複数の利用者の中から、他人の前記第２の物品を廃棄する可能性がある利用者と、他人の前記第１の物品を交換対象としている利用者と、を検出し、
前記利用者を物品交換をおこなう候補として抽出する、
処理をコンピュータが実行することを特徴とする請求項３に記載の管理方法。
【請求項５】
複数の利用者から受け付けた前記第１の物品を前記複数の利用者それぞれに応じた優先順位で出力し、
複数の利用者からそれぞれ、前記第１の物品と、当該第１の物品の交換対象の第２の物品の指定を受け付け、
前記複数の利用者の中から、他人の前記第２の物品を廃棄する可能性がある利用者と、
他人の前記第１の物品を交換対象としている利用者と、を検出し、
前記利用者を物品交換をおこなう候補として抽出する、
処理をコンピュータに実行させることを特徴とする請求項３に記載の管理方法。
【請求項６】
第１の利用者が過去に物品を廃棄した履歴に関する廃棄履歴情報と、当該第１の利用者の所有物品に関する所有物品情報と、を取得し、
前記廃棄履歴情報と、前記所有物品情報と、に基づいて、前記所有物品のうち、前記第１の利用者が廃棄する可能性がある第１の物品を推定し、
前記第１の物品に関する情報を出力する、
処理をコンピュータが実行することを特徴とする管理方法。
【請求項７】
第１の利用者の第１の物品と第２の利用者の第２の物品との間の交換の指定を受け付け、
第１の物品保管庫に前記第１の物品が格納されたこと、および、第２の物品保管庫に前記第２の物品が格納されたことを検出し、
前記検出後に、前記第１の利用者に対して、前記第２の物品保管庫の開錠に用いられる情報を送信し、前記第２の利用者に対して、前記第１の物品保管庫の開錠に用いられる情報を送信する、
処理をコンピュータが実行することを特徴とする管理方法。
【請求項８】
前記検出後に、前記第１の利用者が前記第１の物品を取り出すこと、および、前記第２の利用者が前記第２の物品を取り出すこと、を禁止することを特徴とする請求項７に記載の管理方法。
【請求項９】
利用者が過去に物品を廃棄した履歴に関する廃棄履歴情報を記憶し、
前記利用者に物品を提示する際に、前記廃棄履歴情報に基づいて、当該物品の全部または一部が、廃棄した物品に該当するか否かを判断し、
前記判断結果に基づいて、前記利用者に対して、該当する物品に関する情報を含む注意情報を出力する、
処理をコンピュータに実行させることを特徴とする管理プログラム。
【請求項１０】
利用者が過去に物品を廃棄した履歴に関する廃棄履歴情報を記憶し、
前記廃棄履歴情報に基づいて、前記利用者が購入予定として登録された物品、前記利用者が表示した電子広告情報に含まれる物品、または、使用予定の状態に設定された電子クーポンの割引対象の物品が、前記廃棄した物品に該当するか否かを判断し、
前記判断結果に基づいて、前記利用者に対して、該当する物品に関する情報を含む注意情報を出力する、
処理をコンピュータに実行させることを特徴とする管理プログラム。
【請求項１１】
第１の利用者が過去に物品を廃棄した履歴に関する廃棄履歴情報と、当該第１の利用者の所有物品とに関する所有物品情報と、を記憶し、
前記廃棄履歴情報に基づいて、前記所有物品のうち、前記第１の利用者が廃棄する可能性がある第１の物品を推定し、
前記第１の物品に関する情報を出力する、
処理をコンピュータに実行させることを特徴とする管理プログラム。
【請求項１２】
第１の利用者の第１の物品と第２の利用者の第２の物品との間の交換の指定を受け付け、
第１の物品保管庫に前記第１の物品が格納されたこと、および、第２の物品保管庫に前記第２の物品が格納されたことを検出し、
前記検出後に、前記第１の利用者に対して、前記第２の物品保管庫の開錠に用いられる情報を送信し、前記第２の利用者に対して、前記第１の物品保管庫の開錠に用いられる情報を送信する、
処理をコンピュータに実行させることを特徴とする管理プログラム。
【請求項１３】
利用者の情報端末装置と、サーバと、を備える管理システムであって、
前記利用者の情報端末装置が、
前記利用者が過去に物品を廃棄した履歴に関する廃棄履歴情報をサーバへ送信し、
前記サーバが、
前記廃棄履歴情報を情報端末装置から受信し、
物品の提示に関する情報を前記利用者の情報端末装置へ送信する際に、前記廃棄履歴情報に基づいて、当該物品の全部または一部が、前記廃棄した物品に該当するか否かを判断し、
前記判断結果に基づいて、該当する物品に関する情報を含む注意情報を前記利用者の情報端末装置へ送信し、
前記利用者の情報端末装置が、
前記注意情報を前記サーバから受信し、
前記注意情報を出力する、
ことを特徴とする管理システム。
【請求項１４】
利用者の情報端末装置と、サーバと、を備える管理システムであって、
前記利用者の情報端末装置が、
前記利用者が過去に物品を廃棄した履歴に関する廃棄履歴情報と、前記利用者が購入予定として登録された物品、前記利用者が表示した電子広告情報に含まれる物品、および、使用予定の状態に設定された電子クーポンの割引対象の物品のすくなくともいずれかの物品に関する物品情報と、をサーバへ送信し、
前記サーバが、
前記廃棄履歴情報と、前記物品情報と、を情報端末装置から受信し、
前記廃棄履歴情報に基づいて、前記物品情報にかかる物品が、前記廃棄した物品に該当するか否かを判断し、
前記判断結果に基づいて、該当する物品に関する情報を含む注意情報を前記利用者の情報端末装置へ送信し、
前記利用者の情報端末装置が、
前記注意情報を前記サーバから受信し、
前記注意情報を出力する、
ことを特徴とする管理システム。
【請求項１５】
第１の利用者の情報端末装置と、サーバと、を備える管理システムであって、
前記第１の利用者の情報端末装置が、
前記第１の利用者が過去に物品を廃棄した履歴に関する廃棄履歴情報と、当該第１の利用者の所有物品に関する所有物品情報と、をサーバへ送信し、
前記サーバが、
前記廃棄履歴情報と、前記所有物品情報と、を情報端末装置から受信し、
前記廃棄履歴情報と、前記所有物品情報と、に基づいて、前記所有物品のうち、前記第１の利用者が廃棄する可能性がある第１の物品を推定し、
前記第１の利用者の情報端末装置または前記第１の利用者とは別の第２の利用者の情報端末装置へ送信する、
ことを特徴とする管理システム。
【請求項１６】
利用者の情報端末装置から、過去に物品を廃棄した履歴に関する廃棄履歴情報を受信し、
物品の提示に関する情報を前記利用者の情報端末装置へ送信する際に、前記廃棄履歴情報に基づいて、当該物品の全部または一部が、廃棄した物品に該当するか否かを判断し、
前記判断結果に基づいて、該当する物品に関する情報を含む注意情報を前記利用者の情報端末装置へ送信する、
制御部を備えることを特徴とする管理装置。
【請求項１７】
第１の利用者が過去に物品を廃棄した履歴に関する廃棄履歴情報と、当該第１の利用者の所有物品に関する所有物品情報と、を記憶する記憶部と、
前記廃棄履歴情報に基づいて、前記所有物品のうち、前記第１の利用者が廃棄する可能性がある第１の物品を推定する推定部と、
前記第１の物品に関する情報を出力する出力部と、
を備えることを特徴とする管理装置。
【請求項１８】
第１の利用者の第１の物品と第２の利用者の第２の物品との間の交換の指定を受け付ける受付部と、
第１の物品保管庫に前記第１の物品が格納されたこと、および、第２の物品保管庫に前記第２の物品が格納されたことを検出する検出部と、
前記検出後に、前記第１の利用者に対して、前記第２の物品保管庫の開錠に用いられる情報を送信し、前記第２の利用者に対して、前記第１の物品保管庫の開錠に用いられる情報を送信する送信部と、
を備えることを特徴とする管理装置。
【発明の詳細な説明】
【技術分野】
【０００１】
本発明は、管理方法、管理プログラム、管理システムおよび管理装置に関する。
【背景技術】
【０００２】
本来、消費者は手元に物品（食品）が余らないように、有効に消費できる量を購入することが好ましい。そのため、従来、適量を購入するための様々な手法、技術が考えられている。
【０００３】
関連する先行技術としては、記憶した食品購入データをテーブルにして賞味期限等を管理し、購入食品の食品名、購入日時、賞味期限を管理し、食品購入時の買いすぎ、買いだめの判断の支援、使い忘れによる腐敗の抑制を図る技術がある（たとえば、下記特許文献１を参照。）。
【先行技術文献】
【特許文献】
【０００４】
【特許文献１】特開２００２−３５２３２１号公報
【発明の概要】
【発明が解決しようとする課題】
【０００５】
しかしながら、従来技術では、消費者の嗜好や購入動機・購入パターンなどを考慮してはおらず、必ずしも適切な対応となっていない場合がある。また、意図せず廃棄対象となる場合や、やむを得ない事情により廃棄対象となる場合もある。そのような場合には、依然として廃棄を抑制することができないという問題点がある。また、近年、近隣住民間の交流の減少などにより、いわゆる「お裾分け」という文化が廃れつつあり、余剰な物品（食品）の廃棄を抑制することが難しい。
【０００６】
一つの側面では、本発明は、物品の廃棄を抑制することを目的とする。
【課題を解決するための手段】
【０００７】
１つの実施態様では、利用者が過去に物品を廃棄した履歴に関する廃棄履歴情報を記憶し、前記利用者に物品を提示する際に、前記廃棄履歴情報に基づいて、当該物品の全部または一部が、前記廃棄した物品に該当するか否かを判断し、前記判断結果に基づいて、前記利用者に対して、該当する物品に関する情報を含む注意情報を出力する管理方法、管理プログラム、管理システムおよび管理装置が提供される。
【０００８】
また、１つの実施態様では、第１の利用者が過去に物品を廃棄した履歴に関する廃棄履歴情報と、当該第１の利用者の所有物品に関する所有物品情報と、を記憶し、前記廃棄履歴情報に基づいて、所有物品のうち、第１の利用者が廃棄する可能性がある第１の物品を推定し、第１の物品に関する情報を出力する管理方法、管理プログラム、管理システムおよび管理装置が提供される。
【０００９】
また、１つの実施態様では、第１の利用者の第１の物品と第２の利用者の第２の物品との間の交換の指定を受け付け、第１の物品保管庫に第１の物品が格納されたこと、および、第２の物品保管庫に第２の物品が格納されたことを検出し、検出後に、第１の利用者に対して、第２の物品保管庫の開錠に用いられる情報を送信し、第２の利用者に対して、第１の物品保管庫の開錠に用いられる情報を送信する管理方法、管理プログラム、管理システムおよび管理装置が提供される。
【発明の効果】
【００１０】
本発明の一側面によれば、物品の廃棄を抑制することができる。
【図面の簡単な説明】
【００１１】
【図１】図１は、実施の形態にかかる管理システムのシステム構成の一例を示す説明図である。
【図２】図２は、サーバのハードウェア構成の一例を示す説明図である。
【図３】図３は、利用者の端末装置のハードウェア構成の一例を示す説明図である。
【図４】図４は、食品在庫兼廃棄履歴ＤＢの内容の一例を示す説明図である。
【図５】図５は、食品在庫兼廃棄履歴ＤＢの登録処理手順の一例を示すフローチャートである。
【図６】図６は、実施の形態１の管理システムの機能的構成の一例を示す説明図である。
【図７】図７は、注意情報の一例を示す説明図である。
【図８Ａ】図８Ａは、実施の形態１の管理方法にかかる注意喚起処理手順の一例を示すフローチャートである。
【図８Ｂ】図８Ｂは、実施の形態１の管理方法にかかる注意喚起処理手順の別の一例を示すフローチャートである。
【図９】図９は、実施の形態２の管理システムの機能的構成の一例を示す説明図である。
【図１０】図１０は、実施の形態２の管理方法にかかる推定処理手順の一例を示すフローチャートである。
【図１１】図１１は、実施の形態２の管理方法にかかる検出および抽出処理手順の一例を示すフローチャートである。
【図１２】図１２は、実施の形態２の管理方法にかかる物品交換の具体例を示す説明図（その１）である。
【図１３】図１３は、選好ルールＤＢの内容の一例を示す説明図である。
【図１４】図１４は、選好リストＤＢの内容の一例を示す説明図である。
【図１５Ａ】図１５Ａは、選好度修正の履歴に関する情報の一例を示す説明図である。
【図１５Ｂ】図１５Ｂは、選好度リストの修正結果に関する内容の一例を示す説明図である。
【図１６】図１６は、実施の形態２の管理方法にかかる物品交換の具体例を示す説明図（その２）である。
【図１７】図１７は、実施の形態２の管理方法にかかる物品交換の具体例を示す説明図（その３）である。
【図１８】図１８は、実施の形態２の管理方法にかかる物品交換の具体例を示す説明図（その４）である。
【図１９】図１９は、実施の形態２の管理方法にかかる物品交換の具体例を示す説明図（その５）である。
【図２０】図２０は、実施の形態２の管理方法にかかる物品交換の評価に関する具体例を示す説明図である。
【図２１】図２１は、交換履歴ＤＢの内容の一例を示す説明図である。
【図２２】図２２は、実施の形態３の管理システムの機能的構成の一例を示す説明図である。
【図２３】図２３は、実施の形態３の管理方法にかかる検出および抽出処理手順の一例を示すフローチャートである。
【図２４】図２４は、実施の形態３の管理方法にかかる管理サービスの概要の一例を示す説明図である。
【発明を実施するための形態】
【００１２】
以下に図面を参照して、本発明にかかる管理方法、管理プログラム、管理システムおよび管理装置の実施の形態を詳細に説明する。
【００１３】
（実施の形態）
（管理システム１００のシステム構成例）
図１は、実施の形態にかかる管理システムのシステム構成の一例を示す説明図である。図１において、管理システム１００は、サーバ１０１と、複数の利用者の情報処理装置である利用者端末装置１０２と、複数の物品保管庫２２００と、を含む構成である。
【００１４】
管理システム１００において、サーバ１０１と、利用者端末装置１０２と、物品保管庫２２００は、有線または無線のネットワーク１５０を介して接続される。ネットワーク１５０は、たとえば、インターネット、移動体通信網、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などであってもよい。
【００１５】
サーバ１０１は、管理システム１００の全体の制御を司るとともに、利用者への物品の提示処理、利用者への注意喚起処理、物品の交換処理などをおこなう。サーバ１０１は、食品在庫兼廃棄履歴ＤＢ４０１、選好ルールＤＢ１２０１、選好リストＤＢ１４０１、交換履歴ＤＢ２１０１などの各種データベースを有する。
【００１６】
食品在庫兼廃棄履歴ＤＢ４０１の記憶内容については図４を、選好ルールＤＢ１２０１の記憶内容については図１３を、選好リストＤＢ１４０１の記憶内容については図１４を、交換履歴ＤＢ２１０１の記憶内容については図２１を、それぞれ用いて後述する。
【００１７】
利用者端末装置１０２は、この管理システム１００を利用する利用者が使用するコンピュータである。利用者端末装置１０２は、たとえば、ノートＰＣ、デスクトップ型ＰＣ、タブレット型ＰＣ、スマートフォン、携帯電話、ＰＨＳなどである。また、利用者端末装置１０２は、利用者が使用するネットワークとの通信可能な冷蔵庫などであってもよい。物品保管庫２２００の詳細については、実施の形態３において説明する（図２２を参照）。
【００１８】
（サーバ１０１のハードウェア構成例）
図２は、サーバ１０１のハードウェア構成の一例を示すブロック図である。図２において、サーバ１０１は、ＣＰＵ（Ｃｅｎｔｒａｌ  Ｐｒｏｃｅｓｓｉｎｇ  Ｕｎｉｔ）２０１と、メモリ２０２と、Ｉ／Ｆ（Ｉｎｔｅｒｆａｃｅ）２０３と、ディスクドライブ２０４と、ディスク２０５と、を有する。また、各構成部は、バス２００によってそれぞれ接続される。
【００１９】
ここで、ＣＰＵ２０１は、サーバ１０１の全体の制御を司る。メモリ２０２は、たとえば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、たとえば、フラッシュＲＯＭやＲＯＭが各種プログラムを記憶し、ＲＡＭがＣＰＵ２０１のワークエリアとして使用される。メモリ２０２に記憶されるプログラムは、ＣＰＵ２０１にロードされることで、コーディングされている処理をＣＰＵ２０１に実行させる。
【００２０】
Ｉ／Ｆ２０３は、通信回線を通じてネットワーク１５０に接続され、ネットワーク１５０を介して他の装置（たとえば、図１に示した利用者端末装置１０２）に接続される。そして、Ｉ／Ｆ２０３は、ネットワーク１５０と自装置内部とのインターフェースを司り、他の装置からのデータの入出力を制御する。Ｉ／Ｆ２０３には、たとえば、モデムやＬＡＮアダプタなどを採用することができる。
【００２１】
ディスクドライブ２０４は、ＣＰＵ２０１の制御に従ってディスク２０５に対するデータのリード／ライトを制御する。ディスク２０５は、ディスクドライブ２０４の制御で書き込まれたデータを記憶する。ディスク２０５としては、たとえば、磁気ディスク、光ディスクなどが挙げられる。
【００２２】
なお、サーバ１０１は、上述した構成部のほかに、たとえば、ＳＳＤ（Ｓｏｌｉｄ  Ｓｔａｔｅ  Ｄｒｉｖｅ）、キーボード、ポインティングデバイス、ディスプレイなどを有することにしてもよい。
【００２３】
（利用者端末装置１０２のハードウェア構成例）
図３は、利用者端末装置１０２のハードウェア構成の一例を示すブロック図である。図３において、利用者端末装置１０２は、ＣＰＵ３０１と、メモリ３０２と、Ｉ／Ｆ３０３と、ディスプレイ３０４と、カメラ３０５と、入力装置３０６と、を有する。また、各構成部はバス３００によってそれぞれ接続される。
【００２４】
ここで、ＣＰＵ３０１は、利用者端末装置１０２の全体の制御を司る。メモリ３０２は、たとえば、ＲＯＭ、ＲＡＭおよびフラッシュＲＯＭなどを有する。具体的には、たとえば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００２５】
Ｉ／Ｆ３０３は、通信回線を通じてネットワーク１５０に接続され、ネットワーク１５０を介して他の装置（たとえば、図１に示したサーバ１０１）に接続される。そして、Ｉ／Ｆ３０３は、ネットワーク１５０と自装置内部とのインターフェースを司り、他の装置からのデータの入出力を制御する。
【００２６】
ディスプレイ３０４は、カーソル、アイコンあるいはツールボックスをはじめ、文書、画像、機能情報などのデータを表示する。ディスプレイ３０４は、たとえば、液晶ディスプレイ、有機ＥＬ（Ｅｌｅｃｔｒｏｌｕｍｉｎｅｓｃｅｎｃｅ）ディスプレイなどを採用することができる。また、ディスプレイ３０４は、ヘッドマウントディスプレイであってもよい。
【００２７】
カメラ３０５は、制止画像や動画を撮影する機器である。物品に関する写真を撮影する際に用いることができる。入力装置３０６は、文字、数字、各種指示などの入力のためのキーを有し、データの入力をおこなう。入力装置３０６は、キーボードやポインティングデバイスなどであってもよく、また、タッチパネル式の入力パッドやテンキーなどであってもよい。
【００２８】
（食品在庫兼廃棄履歴ＤＢの内容）
つぎに、物品の一例である食品に関する食品在庫兼廃棄履歴ＤＢ４０１の内容について図４を用いて説明する。図４は、食品在庫兼廃棄履歴ＤＢの内容の一例を示す説明図である。図４において、食品在庫兼廃棄履歴ＤＢ４０１には、利用者を識別する「ユーザＩＤ」に対して、「食品ＩＤ」、「食品名」、「商品コード」、「購入日」、「更新日」、「消費状況」、「状態」などの項目について、それぞれ情報が登録されている。
【００２９】
食品ＩＤは、在庫する食品に関する情報を食品在庫兼廃棄履歴ＤＢ４０１に登録するたびに、サーバ１０１によって付与される識別情報である。同じ食品であっても、登録日や登録者が異なる場合は、異なる食品ＩＤを付与する。購入日は、食品を購入した日付を示し、利用者端末装置１０２を用いた利用者の入力操作などによって入力される。
【００３０】
更新日は、食品の消費状況や状態を更新した日付を示し、利用者端末装置１０２を用いた利用者の入力操作などによって入力される。購入日や更新日は、利用者が食品在庫兼廃棄履歴ＤＢ４０１への情報をおこなった日付であってもよい。消費状況は、食品の消費状況を示し、具体的には、たとえば、「１／２（半量が使用済み）」、「０（使用済み）」「１／１（未使用）」などの数値情報である。状態は、食品の状態を示し、具体的には「廃棄」、「在庫」、「未使用」、「使用済」などを示す。
【００３１】
図５は、食品在庫兼廃棄履歴ＤＢ４０１の登録処理手順の一例を示すフローチャートである。図５のフローチャートにおいて、まず、物品の出し入れに関する情報の入力があったか否かを判断する（ステップＳ５０１）。物品の出し入れに関する情報は、たとえば、利用者が、物品（食品）を購入あるいは消費することにより、利用者の所有する食品の状態や有無に変化があるごとに、利用者端末装置１０２を用いた利用者の入力操作などによって入力される。
【００３２】
ここで、物品の出し入れに関する情報が入力されるのを待って（ステップＳ５０１：Ｎｏ）、入力があった場合（ステップＳ５０１：Ｙｅｓ）、食品在庫兼廃棄履歴ＤＢ４０１に登録されている物品在庫に関する情報を更新する（ステップＳ５０２）。具体的には、購入した食品を食品在庫兼廃棄履歴ＤＢ４０１に登録したり、消費した食品の状態情報を食品在庫兼廃棄履歴ＤＢ４０１において更新したりする。たとえば、食品の一部を消費した場合は、食品の消費状況に応じて、該当する食品の消費状況を「１／１」から「１／２」や「０」などに更新する。
【００３３】
つぎに、利用者から廃棄の入力があったか否かを判断する（ステップＳ５０３）。廃棄の入力は、たとえば、利用者が、物品（食品）を廃棄した場合に、利用者端末装置１０２を用いた利用者の入力操作などによって入力される。ここで、廃棄が入力されなかった場合（ステップＳ５０３：Ｎｏ）は、ステップＳ５０１へ戻る。
【００３４】
一方、廃棄の入力があった場合（ステップＳ５０３：Ｙｅｓ）は、食品在庫兼廃棄履歴ＤＢ４０１に廃棄履歴を登録する（ステップＳ５０４）。その後、ステップＳ５０１へ戻って、ステップＳ５０１〜Ｓ５０４の各処理を繰り返し実行する。
【００３５】
このようにして、食品在庫兼廃棄履歴ＤＢ４０１は、継続的に更新され、最新の情報が登録されている。以下、実施の形態１および２では、この食品在庫兼廃棄履歴ＤＢ４０１を用いて、各実施の形態における処理を実行する。
【００３６】
（実施の形態１）
（管理システムの機能的構成）
図６は、実施の形態１の管理システムの機能的構成の一例を示す説明図である。図６において、管理システム１００は、サーバ１０１および利用者端末装置１０２から構成される。サーバ１０１は、廃棄履歴情報・物品情報受信部６５１、判断部６５２、送信部６５３を有する。また、利用者端末装置１０２は、廃棄履歴情報記憶部６０１、廃棄履歴情報・物品情報送信部６０２、受信部６０３、出力部６０４を有する。
【００３７】
利用者端末装置１０２の廃棄履歴情報記憶部６０１は、利用者が過去のある時期において物品（食品）を廃棄した履歴に関する廃棄履歴情報を記憶している。廃棄履歴情報記憶部６０１は、具体的には、たとえば、図３に示したメモリ３０２などの記憶装置により、その機能を実現することができる。
【００３８】
廃棄履歴情報とは、食品在庫兼廃棄履歴ＤＢ４０１に記憶された情報のうち、「廃棄」の状態にある情報である。廃棄履歴情報は、具体的には、利用者が過去のある時期に廃棄した食品の食品ＩＤ、食品名、購入日、廃棄日時、および、廃棄した利用者のユーザＩＤなどに関する情報である。
【００３９】
過去のある時期は、過去１ヶ月以内、過去１年以内などの期間であって、たとえば、管理システム１００の管理者が任意に設定することができる。廃棄日時は、利用者端末装置１０２において、廃棄の対象とする食品にかかる入力操作を受け付けた日時、あるいは、当該入力操作によって指定された日時である。
【００４０】
利用者端末装置１０２は、たとえば、廃棄の対象とする食品の食品ＩＤの入力、当該食品の撮影、当該食品の包装に付されていたバーコードや２次元コードの読み取りなどの操作を受け付けることによって、廃棄する食品にかかる入力操作を受け付ける。利用者端末装置１０２は、廃棄する食品にかかる入力操作を受け付けると、当該入力操作を受け付けた日時を廃棄日時として記憶する。
【００４１】
廃棄履歴情報は、廃棄した量や廃棄した理由に関する情報を含んでいてもよい。廃棄した量や廃棄した理由に関する情報は、利用者が任意に入力する情報であって、廃棄した量に関する情報の入力がない場合、廃棄履歴情報記憶部６０１は、該当する食品ＩＤによって特定される食品を食品在庫兼破棄履歴ＤＢ４０１の消費状況に応じて廃棄したものとして記憶する。
【００４２】
利用者端末装置１０２の廃棄履歴情報・物品情報送信部６０２は、廃棄履歴情報・物品情報をサーバ１０１へ送信する。廃棄履歴情報・物品情報送信部６０２は、送信する廃棄履歴情報・物品情報に、これらの情報の送信元となる利用者端末装置１０２の利用者にかかるユーザＩＤを関連付けて送信する。
【００４３】
廃棄履歴情報・物品情報送信部６０２は、たとえば、廃棄履歴情報記憶部６０１が記憶する廃棄履歴情報が更新されるごとに、廃棄履歴情報・物品情報をサーバ１０１へ送信する。あるいは、廃棄履歴情報・物品情報送信部６０２は、「１時間ごと」、「２４時間ごと」などのように、あらかじめ決められた時間ごとに廃棄履歴情報・物品情報をサーバ１０１へ送信してもよい。
【００４４】
ここで、物品情報とは、利用者が購入する可能性が高いと推定される物品に関する情報である。具体的には、たとえば、利用者が購入予定として登録した物品であったり、利用者が表示した電子広告情報に含まれる物品であったり、または、利用者によって使用予定の状態に設定された電子クーポンの割引対象の物品などである。
【００４５】
廃棄履歴情報・物品情報送信部６０２は、具体的には、たとえば、図３に示したメモリ３０２などの記憶装置に記憶されたプログラムをＣＰＵ３０１に実行させることにより、または、Ｉ／Ｆ３０３により、その機能を実現することができる。
【００４６】
サーバ１０１の廃棄履歴情報・物品情報受信部６５１は、利用者端末装置１０２の廃棄履歴情報・物品情報送信部６０２から送信された廃棄履歴情報・物品情報を受信する。サーバ１０１は、廃棄履歴情報・物品情報受信部６５１が受信した廃棄履歴情報に基づいて、食品在庫兼廃棄履歴ＤＢ４０１を更新する。
【００４７】
廃棄履歴情報・物品情報受信部６５１は、具体的には、たとえば、図２に示したメモリ２０２、ディスク２０５などの記憶装置に記憶されたプログラムをＣＰＵ２０１に実行させることにより、または、Ｉ／Ｆ２０３により、その機能を実現することができる。
【００４８】
サーバ１０１の判断部６５２は、利用者に物品を提示する際に、廃棄履歴情報・物品情報受信部６５１が受信した廃棄履歴情報に基づいて、利用者に提示する物品の全部または一部が、廃棄した物品に該当するか否かを判断する。利用者に提示する物品は、たとえば、利用者が購入予定として登録した物品、利用者が表示した電子広告情報に含まれる物品、または、使用予定の状態に設定された電子クーポンの割引対象の物品である。
【００４９】
すなわち、判断部６５２は、廃棄履歴情報に基づいて、利用者が購入予定として登録した物品、利用者が表示した電子広告情報に含まれる物品、または、使用予定の状態に設定された電子クーポンの割引対象の物品が、過去のある時期に廃棄した物品に該当するか否かを判断する。
【００５０】
利用者への物品の提示は、利用者からの要求に応じて、該当する利用者端末装置１０２に、提示する物品に関する情報を送信することによっておこなう。あるいは、あらかじめ定められた条件に合致した場合に、サーバ１０１から利用者端末装置１０２へ提示する物品に関する情報を送信する、いわゆるプッシュ型の物品の提示であってもよい。提示する物品に関する情報を受信した利用者端末装置１０２は、受信した情報に基づいてディスプレイ３０４に該当する物品に関する情報を表示する。
【００５１】
あらかじめ定められた条件に合致した場合とは、たとえば、利用者が購入予定として物品を登録した場合、利用者が電子広告情報を表示した場合、または、電子クーポンが使用予定の状態に設定された場合などである。
【００５２】
判断部６５２は、具体的には、たとえば、図２に示したメモリ２０２、ディスク２０５などの記憶装置に記憶されたプログラムをＣＰＵ２０１に実行させることにより、その機能を実現することができる。
【００５３】
図示は省略するが、サーバ１０１の判断部６５２の各処理を、利用者端末装置１０２によっておこなうようにしてもよい。この場合、利用者端末装置１０２が、廃棄履歴情報や物品情報に基づいて、利用者に提示する物品を選択し、選択した物品が廃棄した物品に該当するか否かを判断する。
【００５４】
サーバ１０１の送信部６５３は、利用者端末装置１０２に対して、提示物品情報を送信する。提示物品情報は、利用者が購入する可能性が高いと推定される物品に関する情報である。具体的には、たとえば、利用者が購入予定として登録した物品、利用者が表示した電子広告情報に含まれる物品、または、使用予定の状態に設定された電子クーポンの割引対象の物品に関する情報である。
【００５５】
また、送信部６５３は、判断部６５２の判断結果に基づいて、注意情報を送信する。注意情報は、利用者に提示する物品が、過去のある時期に廃棄した物品、あるいは、廃棄した物品と同種の物品であることを通知する情報である。注意情報は、さらに、過去のある時期に廃棄した物の廃棄日時や廃棄した量に関する情報を含んでいてもよい。
【００５６】
送信部６５３は、利用者に提示する物品が、過去のある時期に廃棄した物品に該当する場合に、提示物品情報とともに注意情報を送信する。利用者に提示する物品が、過去のある時期に廃棄した物品に該当しない場合、送信部６５３は、提示物品情報のみを送信する。
【００５７】
このように、利用者に提示する物品が過去のある時期に廃棄した物品であるときに注意情報を送信することにより、物品の買いすぎや、買いすぎたことにより未使用のまま廃棄される物品を削減することができる。また、注意情報を送信するタイミングを、利用者への物品の提示をおこなうタイミングと一致させることにより、注意情報を過剰に送信して利用者を不快にさせることなく、物品の買いすぎや、買いすぎによる廃棄を抑制することができる。
【００５８】
送信部６５３は、具体的には、たとえば、図２に示したメモリ２０２やディスク２０５などの記憶装置に記憶されたプログラムをＣＰＵ２０１に実行させることにより、または、Ｉ／Ｆ３０３により、その機能を実現することができる。
【００５９】
利用者端末装置１０２の受信部６０３は、サーバ１０１の送信部６５３から送信された提示物品情報を受信する。受信部６０３は、具体的には、たとえば、図３に示したメモリ３０２などの記憶装置に記憶されたプログラムをＣＰＵ３０１に実行させることにより、または、Ｉ／Ｆ３０３により、その機能を実現することができる。
【００６０】
利用者端末装置１０２の出力部６０４は、受信部６０３が受信した情報を出力する。出力部６０４は、たとえば、提示物品情報にかかる物品を表示したり、当該物品のセール時期を表示したりする。受信部６０３が注意情報を受信した場合、出力部６０４は、物品と注意情報を並べて表示する。注意情報のみを表示してもよい。
【００６１】
該当する物品が複数存在する場合は、あらかじめ定められた条件によってソートして表示するようにしてもよい。たとえば、廃棄日時の新しい順に並べて表示してもよい。また、物品ごとにソートして表示してもよい。また、廃棄した量の多い順であってもよい。また、廃棄した物品の金額が高い順であってもよい。
【００６２】
出力部６０４は、具体的には、たとえば、図３に示したメモリ３０２などの記憶装置に記憶されたプログラムをＣＰＵ３０１に実行させることにより、または、ディスプレイ３０４により、その機能を実現することができる。
【００６３】
（注意情報の一例）
図７は、注意情報の一例を示す説明図である。図７において、注意情報が表示された表示画面７０１には、過去に廃棄された物品名と、数量と、廃棄日とを１件ずつ並べて表示する。このように各件を表示し、買いすぎの注意喚起文章を付加して注意喚起をおこなうことにより、物品の買いすぎを効果的に抑制することができる。
【００６４】
各件の先頭には、チェックボックス７０２を設ける。このチェックボックス７０２にチェックを入れることで、次回以降、当該物品の表示をおこなわないようにしてもよい。このようにすることによって、何度も同じ物品についての注意情報が表示されるのを回避することができる。
【００６５】
表示画面７０１は、「確認」ボタン７０３を押下することによって非表示とすることができる。利用者に、表示画面７０１の表示内容の確認後に「確認」ボタン７０３を押下させることによって、利用者に対して確実に注意喚起をおこなうことができる。表示画面７０１は、たとえば、買い物メモのアプリケーション使用時において、当該買い物メモのアプリケーションにポップアップさせて表示するようにしてもよい。
【００６６】
（管理方法にかかる注意喚起処理手順）
図８Ａは、実施の形態１の管理方法にかかる注意喚起処理手順の一例を示すフローチャートである。図８Ａのフローチャートにおいて、まず、利用者に対して提示する物品があるか否かを判断する（ステップＳ８０１）。ここで、提示する物品があるのを待って（ステップＳ８０１：Ｎｏ）、提示する物品がある場合（ステップＳ８０１：Ｙｅｓ）は、提示する物品のうちの１つ目の物品を、当該利用者の廃棄履歴情報と比較する（ステップＳ８０２）。
【００６７】
比較の結果、廃棄した物品に該当するか否かを判断する（ステップＳ８０３）。ここで、廃棄した物品に該当しない場合（ステップＳ８０３：Ｎｏ）は、何もせずに、ステップＳ８０５へ移行する。一方、廃棄した物品に該当する場合（ステップＳ８０３：Ｙｅｓ）は、注意情報を出力し（ステップＳ８０４）、ステップＳ８０５へ移行する。
【００６８】
ステップＳ８０５において、すべての物品について比較したか否かを判断する（ステップＳ８０５）。ここで、未だすべての物品について比較していない場合（ステップＳ８０５：Ｎｏ）は、つぎの物品を、当該利用者の廃棄履歴情報と比較する（ステップＳ８０６）。そして、ステップＳ８０３へ戻り、以後、ステップＳ８０３〜Ｓ８０６を繰り返しおこなう。
【００６９】
ステップＳ８０５において、すべての物品について比較した場合（ステップＳ８０５：Ｙｅｓ）は、ステップＳ８０１へ戻り、新たに提示する物品があるのを待つ。このようにして、一連の処理を実行する。
【００７０】
また、図８Ｂは、実施の形態１の管理方法にかかる注意喚起処理手順の別の一例を示すフローチャートである。図８Ｂのフローチャートにおいて、まず、利用者が購入予定登録をしたか否かを判断する（ステップＳ８１１）。購入予定登録は、たとえば、買い物メモのアプリケーションを使用して、利用者が購入予定として物品を登録することによっておこなう。
【００７１】
ここで、購入予定登録をした場合（ステップＳ８１１：Ｙｅｓ）は、ステップＳ８１４へ移行する。一方、ステップＳ８１１において、購入予定登録をしていない場合（ステップＳ８１１：Ｎｏ）は、つぎに、利用者が電子広告を表示したか否かを判断する（ステップＳ８１２）。ここで、電子広告を表示した場合（ステップＳ８１２：Ｙｅｓ）は、ステップＳ８１４へ移行する。
【００７２】
一方、ステップＳ８１２において、電子広告を表示していない場合（ステップＳ８１２：Ｎｏ）は、利用者が電子クーポンを取得したか否かを判断する（ステップＳ８１３）。ここで、ステップＳ８１３において、電子クーポンを取得した場合（ステップＳ８１３：Ｙｅｓ）は、ステップＳ８１４へ移行する。
【００７３】
購入予定登録や電子広告の表示がなく、かつ電子クーポンを取得していない場合（ステップＳ８１３：Ｎｏ）は、ステップＳ８１１へ戻る。このようにして、ステップＳ８１１〜Ｓ８１３の各ステップを繰り返しおこない、購入予定登録の有無、電子広告表示の有無、電子クーポン取得の有無を判断する。
【００７４】
ステップＳ８１４においては、購入予定登録された物品、電子広告表示された物品、電子クーポン取得された物品のいずれかのうちの１つ目の物品を、当該利用者の廃棄履歴情報と比較する（ステップＳ８１４）。そして、比較の結果、廃棄した物品に該当するか否かを判断する（ステップＳ８１５）。ここで、廃棄した物品に該当しない場合（ステップＳ８１５：Ｎｏ）は、何もせずに、ステップＳ８１７へ移行する。一方、廃棄した物品に該当する場合（ステップＳ８１５：Ｙｅｓ）は、注意情報を出力し（ステップＳ８１６）、ステップＳ８１７へ移行する。
【００７５】
ステップＳ８１７においては、すべての物品について比較したか否かを判断する（ステップＳ８１７）。ここで、未だすべての物品について比較していない場合（ステップＳ８１７：Ｎｏ）は、つぎの物品を、当該利用者の廃棄履歴情報と比較する（ステップＳ８１８）。そして、ステップＳ８１５へ戻り、以後、ステップＳ８１５〜Ｓ８１８を繰り返しおこなう。
【００７６】
ステップＳ８１７において、すべての物品について比較された場合（ステップＳ８１７：Ｙｅｓ）は、ステップＳ８１１へ戻り、あらたに、購入予定登録の有無、電子広告表示の有無、電子クーポン取得の有無を判断する。このようにして、一連の処理を実行する。
【００７７】
以上説明したように、実施の形態１にかかる管理方法、管理プログラム、管理システムおよび管理装置にあっては、利用者に提示する物品の全部または一部が、廃棄した物品に該当するか否かに応じて、利用者に対して、該当する物品に関する情報を含む注意情報を出力するようにした。これにより、利用者の嗜好や購入動機・購入パターンに関係なく、物品の買いすぎや、買いすぎによる廃棄を抑制することができる。
【００７８】
また、実施の形態１にかかる管理方法、管理プログラム、管理システムおよび管理装置にあっては、利用者が購入する可能性が高いと推定される物品が、廃棄した物品に該当するか否かに基づいて、利用者に対して、該当する物品に関する情報を含む注意情報を出力するようにした。これにより、注意情報を過剰に出力することによって利用者を不快にさせることなく、物品の買いすぎや、買いすぎによる廃棄を抑制することができる。
【００７９】
また、実施の形態１にかかる管理方法、管理プログラム、管理システムおよび管理装置にあっては、利用者が廃棄する可能性が高いと推定される物品に関する情報を出力するようにした。これにより、物品の買いすぎや、買いすぎによる廃棄を効果的に抑制することができる。
【００８０】
（実施の形態２）
（管理システムの機能的構成）
図９は、実施の形態２の管理システムの機能的構成の一例を示す説明図である。図９において、管理システム１００は、サーバ１０１および利用者端末装置１０２から構成される。
【００８１】
サーバ１０１は、廃棄履歴情報・所有物品情報・交換対象物品情報受信部９５１、推定部９５２、対象者検出部９５３、候補抽出部９５４、送信部９５５を有する。また、利用者端末装置１０２は、廃棄履歴情報・所有物品情報・交換対象物品情報記憶部９０１、廃棄履歴情報・所有物品情報・交換対象物品情報送信部９０２、受信部９０３、出力部９０４を有する。
【００８２】
利用者端末装置１０２の廃棄履歴情報・所有物品情報・交換対象物品情報記憶部９０１は、廃棄履歴情報と、所有物品情報と、交換対象物品情報と、を記憶している。廃棄履歴情報は、上述したように、利用者が過去のある時期において物品を廃棄した履歴に関する情報である。
【００８３】
所有物品情報は、利用者の所有物品に関する情報である。また、所有物品は、たとえば、食品などのように、有効に使用または利用できる有効期限がある物品に関する情報である。所有物品情報は、食品在庫兼廃棄履歴ＤＢ４０１に記憶された情報のうち、「在庫」または「未使用」の状態にある情報である。廃棄履歴情報は、具体的には、「在庫」または「未使用」の状態情報が関連付けられているユーザＩＤ、食品ＩＤ、食品名、購入日などに関する情報である。
【００８４】
交換対象物品情報は、利用者の所有物品のうちのいずれかと交換することによって入手することを希望する物品、すなわち交換対象物品に関する情報である。交換対象物品情報は、交換対象物品を特定する情報や、利用者が所有する物品のうちの交換対象物品との交換に供する物品に関する情報である。
【００８５】
交換対象物品情報は、利用者端末装置１０２を用いた利用者の入力操作などによって入力される。また、交換対象物品は、各利用者が所有する物品の購入日、消費状況、状態などに基づいて、利用者端末装置１０２が決定してもよい。具体的には、たとえば、購入日から、あらかじめ定められた日数が経過しているにもかかわらず「未使用」の状態の物品や大量に残っている物品を、交換対象物品に決定する。たとえば、１人暮らしであるにもかかわらず、肉が５００ｇ以上など、一度で食べるには多すぎる量が残っている場合などである。また、食品名などから推定される一般的な賞味期限などの有効期限に基づいて、有効期限が近づいている物品を、交換対象物品に決定してもよい。
【００８６】
廃棄履歴情報・所有物品情報・交換対象物品情報記憶部９０１は、具体的には、たとえば、図３に示したメモリ３０２などの記憶装置により、その機能を実現することができる。
【００８７】
利用者端末装置１０２の廃棄履歴情報・所有物品情報・交換対象物品情報送信部９０２は、廃棄履歴情報・所有物品情報・交換対象物品情報をサーバ１０１へ送信する。廃棄履歴情報・所有物品情報・交換対象物品情報送信部９０２は、送信する各情報に、これらの情報の送信元となる利用者端末装置１０２の利用者にかかるユーザＩＤを関連付けて送信する。
【００８８】
廃棄履歴情報・所有物品情報・交換対象物品情報送信部９０２は、廃棄履歴情報・所有物品情報・交換対象物品情報記憶部９０１が記憶する情報が更新されるごとに、廃棄履歴情報・所有物品情報・交換対象物品情報をサーバ１０１へ送信する。これらの情報の送信は、具体的には、たとえば、廃棄履歴情報や所有物品情報が追加されたり更新されたりするごとにおこなう。
【００８９】
あるいは、廃棄履歴情報・所有物品情報・交換対象物品情報のサーバ１０１への送信は、交換対象物品情報が追加されるごとにおこなってもよい。また、これらの情報の送信は、「１時間ごと」、「２４時間ごと」などのように、あらかじめ定められた時間ごとに定期的におこなってもよい。
【００９０】
廃棄履歴情報・所有物品情報・交換対象物品情報送信部９０２は、具体的には、たとえば、図３に示したメモリ３０２などの記憶装置に記憶されたプログラムをＣＰＵ３０１に実行させることにより、または、Ｉ／Ｆ３０３により、その機能を実現することができる。
【００９１】
サーバ１０１の廃棄履歴情報・所有物品情報・交換対象物品情報受信部９５１は、利用者端末装置１０２から送信された廃棄履歴情報・所有物品情報・交換対象物品情報を受信する。サーバ１０１は、廃棄履歴情報・所有物品情報・交換対象物品情報受信部９５１が受信した各情報に基づいて、食品在庫兼廃棄履歴ＤＢ４０１を更新する。
【００９２】
廃棄履歴情報・所有物品情報・交換対象物品情報受信部９５１は、具体的には、たとえば、図２に示したメモリ２０２、ディスク２０５などの記憶装置に記憶されたプログラムをＣＰＵ２０１に実行させることにより、または、Ｉ／Ｆ２０３により、その機能を実現することができる。
【００９３】
サーバ１０１の推定部９５２は、廃棄履歴情報・所有物品情報・交換対象物品情報受信部９５１が受信した各情報に基づいて、各利用者の所有物品のうち、廃棄する可能性がある第１の物品を推定する。推定部９５２は、たとえば、購入日から、あらかじめ定められた日数が経過しているにもかかわらず「未使用」の状態の物品を、第１の物品として推定する。また、食品名などから推定される一般的な賞味期限などの有効期限に基づいて、有効期限が近づいている物品を第１の物品として推定してもよい。
【００９４】
サーバ１０１の対象者検出部９５３は、廃棄履歴情報・所有物品情報・交換対象物品情報受信部９５１が受信した交換対象物品情報に基づいて、交換対象物品を所有する利用者の中から、第１の物品を所有する利用者（対象者）を検出する。具体的には、食品在庫兼廃棄履歴ＤＢ４０１を参照して、第１の物品として推定した交換対象物品を所有する利用者を検出する。
【００９５】
また、対象者検出部９５３は、第１の物品を所有する利用者が、当該第１の物品との交換対象として第２の物品を指定している場合、第２の物品を廃棄する可能性があり、第１の物品を交換対象としている第２の利用者を検出する。
【００９６】
サーバ１０１の候補抽出部９５４は、対象者検出部９５３が検出した利用者に基づいて、第１の利用者と第２の利用者を物品交換をおこなう候補として抽出する。候補抽出部９５４は、２人の利用者の間で物品交換が成立しない場合、物品交換をおこなう候補として、３人以上の利用者を抽出してもよい。
【００９７】
サーバ１０１の送信部９５５は、推定部９５２が推定した第１の物品に関する情報を、利用者端末装置１０２に送信する。第１の物品に関する情報の出力先となる利用者端末装置１０２は、たとえば、第１の物品を所有する第１の利用者である。これにより、第１の利用者に、賞味期限あるいは有効期限が近づいているために廃棄する可能性がある物品を知らせることができる。そして、これによって、第１の利用者に、第１の物品を有効利用するよう注意喚起することができ、物品の廃棄を抑制することができる。
【００９８】
第１の物品に関する情報の送信先は、第１の利用者の利用者端末装置１０２に限らない。第１の物品に関する情報を、第１の利用者以外の利用者の利用者端末装置１０２に送信することにより、廃棄する可能性がある物品を広く知らせることができ、これにより、自身の所有する物品との交換を申し出る利用者の出現を期待することができる。そして、これによって、物品交換を促進し、物品の廃棄を抑制することができる。
【００９９】
また、サーバ１０１の送信部９５５は、候補抽出部９５４が抽出した候補の利用者端末装置１０２に対して、物品交換情報を送信する。送信部９５５は、第１の利用者に対しては、第１の物品を交換対象としている第２の利用者がいることを通知する物品交換情報を送信する。第２の利用者に対しては、第２の物品を交換対象としている第１の利用者がいることを通知する物品交換情報を送信する。
【０１００】
第１の利用者が所有する第１の物品は、第１の利用者が所有し続けた場合は廃棄する可能性があるが、第２の利用者が交換対象としている。これに対し、第２の利用者が所有する第２の物品は、第２の利用者が所有し続けた場合は廃棄する可能性があるが、第１の利用者が交換対象としている。このような関係にある第１の利用者と第２の利用者に物品交換情報を送信することにより、物品交換を促進することができる。このように物品どうしを交換することによって、物品の廃棄を抑制することができる。
【０１０１】
（管理方法にかかる推定処理手順）
図１０は、実施の形態２の管理方法にかかる推定処理手順の一例を示すフローチャートである。図１０のフローチャートに示す処理は、たとえば、利用者ごとにおこなう。図１０のフローチャートにおいて、まず、所有物品の中から１つ目の物品を抽出する（ステップＳ１００１）。そして、１つ目の物品について、廃棄の可能性があるか否かを判断する（ステップＳ１００２）。廃棄する可能性がない場合（ステップＳ１００２：Ｎｏ）、ステップＳ１００４へ移行する。
【０１０２】
１つ目の物品について廃棄の可能性がある場合（ステップＳ１００２：Ｙｅｓ）、物品情報を出力する（ステップＳ１００３）。ステップＳ１００３では、たとえば、廃棄の可能性がある物品を所有する利用者の利用者端末装置１０２に対して、物品情報を出力する。
【０１０３】
つぎに、所有物品の中からすべての物品を抽出したか否かを判断し（ステップＳ１００４）、すべての物品を抽出した場合（ステップＳ１００４：Ｙｅｓ）はステップＳ１００１に移行する。一方、すべての物品を抽出していない場合（ステップＳ１００４：Ｎｏ）、つぎの物品を抽出して（ステップＳ１００５）、ステップＳ１００２へ移行する。以降、すべての物品を抽出するまで、ステップＳ１００２〜Ｓ１００５の各処理を繰り返し実行する。
【０１０４】
図１１は、実施の形態２の管理方法にかかる検出および抽出処理手順の一例を示すフローチャートである。図１１のフローチャートにおいて、交換対象物品の指定を受け付けるまで待機する（ステップＳ１１０１：Ｎｏ）。そして、交換対象物品の指定を受け付けた場合（ステップＳ１１０１：Ｙｅｓ）、当該交換対象物品を廃棄する可能性がある利用者がいるか否かを判断する（ステップＳ１１０２）。
【０１０５】
交換対象物品を廃棄する可能性がある利用者がいる場合（ステップＳ１１０２：Ｙｅｓ）、当該利用者が、廃棄の可能性がある物品を交換対象物品としているか否かを判断する（ステップＳ１１０３）。交換対象物品を廃棄する可能性がある利用者が、廃棄の可能性がある物品を交換対象物品としている場合（ステップＳ１１０３：Ｙｅｓ）、当該交換対象物品を物品交換候補として抽出して（ステップＳ１１０４）、一連の処理を終了する。
【０１０６】
また、交換対象物品を廃棄する可能性がある利用者がいない場合（ステップＳ１１０２：Ｎｏ）、あるいは、当該利用者が廃棄の可能性がある物品を交換対象物品としていない場合（ステップＳ１１０３：Ｎｏ）、ステップＳ１１０４へ移行し、廃棄の可能性がある交換対象物品を物品交換候補として抽出する。
【０１０７】
（物品交換の具体例（その１））
図１２は、実施の形態２の管理方法にかかる物品交換の具体例を示す説明図（その１）である。図１２において、選好ルールＤＢ１２０１は、物品の選好ルールを記憶している。サーバ１０１は、利用者が所有する物品を出品すると、選好ルールＤＢ１２０１を参照して、当該利用者が希望する物品（欲しいもの）を順位付けした選好リストを自動生成する。
【０１０８】
サーバ１０１は、たとえば、所定時間ごと、あるいは、あらかじめ定められた所定時刻が到来するごとなど、管理システム１００の管理者などが設定した所定のタイミングにおいて上述した図１０に示した処理を実行することによって、廃棄される可能性がある所有物品を特定することができる。そして、サーバ１０１は、このようにして特定された、廃棄される可能性がある所有物品に関する情報に基づいて選好リストを生成する。これにより、各利用者の入力操作を介することなく、自動的に選好リストを生成することができる。
【０１０９】
あるいは、サーバ１０１は、利用者が選好リストの作成を指示する操作をおこなった場合に、廃棄される可能性がある所有物品を特定し、選好リストを生成するようにしてもよい。
【０１１０】
サーバ１０１は、所定のタイミングで選好リストの生成をおこなう場合、あるいは、利用者による操作に応じて選好リストの生成をおこなう場合のいずれの場合にも、廃棄される可能性があると判断された所有物品のすべてを対象として選好リストを生成する。具体的には、たとえば、賞味期限が設定されている食品など、有効に利用できる期限に制限がある所有物品の場合、サーバ１０１は、当該期限（賞味期限）に基づき廃棄される可能性があると判断された所有物品（食品）のすべてを対象として選好リストを生成する。
【０１１１】
このように、利用者が過去に物品を廃棄した履歴に関する廃棄履歴情報と、当該利用者の所有物品に関する所有物品情報と、を記憶し、廃棄履歴情報に基づいて、所有物品のうち、利用者が廃棄する可能性がある物品を推定し、その物品に関する情報である選好リストを生成し、出力することにより、物品交換を成立しやすくすることができる。そして、これにより、物品交換を促進し、物品の廃棄を抑制することができる。選好リストの記憶内容については、図１４を用いて後述する。
【０１１２】
図１２の例においては、家族構成が２人の利用者「笠崎さん」が、物品「豚肉」を出品した場合、「じゃがいも」、「牛肉」、「なし」、「豚肉」、「さつまいも」、「みかん」の各物品が欲しいものとして選択され、選択された各物品を順位付けした選好リストを示している。
【０１１３】
（選好ルールＤＢの内容の一例）
図１３は、選好ルールＤＢの内容の一例を示す説明図である。図１３において、選好ルールＤＢ１２０１には、利用者ごとに、選好ルールを識別する「ルールＩＤ」に対して、「ルール名」、「ルール詳細」、「参照先」、「選好度」などの項目について、それぞれ情報が登録されている。「ルール名」はルールの概要を示し、「ルール詳細」は選好ルールの詳細な内容を示す。
【０１１４】
具体的に、たとえば、「お買い物リストへの登録」というルール名に対しては、「お買い物リストに登録されている食品は直近で購入意思があるとみなし、選好度をあげる」というルール詳細を設定する。また、「購入頻度の高い物品」というルール名に対しては、お買い物リストなどに登録していなくても購入する可能性が高い物品とみなし、「購入頻度の高い物品は、選好度をあげる」というルール詳細を設定する。
【０１１５】
「参照先」は、各ルールにしたがって順位を決定する対象となる物品に関する情報の記憶場所を示す。「選好度」は、物品の順位を決定する際の優先度を示す。具体的に、お買い物リストを「参照先」として特定した物品の選好度は、その他の参照先を参照して特定した物品の選好度よりも高く設定する。このような選好ルールＤＢ１２０１を用いることにより、図１２のリストのように、欲しいものを順位付けしたリストを、利用者の操作を介することなく自動生成することができる。
【０１１６】
（選好リストＤＢの内容の一例）
図１４は、選好リストＤＢの内容の一例を示す説明図である。図１４において、選好リストＤＢ１４０１は、利用者ごとの選好リストを記憶する。選好リストＤＢ１４０１には、入手を希望する「順位」に対して、「食品」、「数量」、「選好度」などの項目について、それぞれ情報が登録されている。
【０１１７】
自動生成した選好リストの内容は、利用者自身が、必要に応じて修正することができる。選好リストの修正は、たとえば、選好度を修正することによっておこなう。具体的には、たとえば、図１３に示した選好ルールＤＢ１２０１において、選好リストの作成にかかる選好度のうち、「購入頻度の高い物品」と「レシピサイト閲覧履歴」というルール名に対応する選好度を「＋０．１」とする修正や、「お買い物リストへの登録」というルール名に対応する選好度を「−０．１」とする修正をおこなう。
【０１１８】
また、選好リストの修正は、たとえば、数量を修正することによっておこなう。修正の対象となる数量は、希望する物品全体の数量であってもよく、物品全体の数量の算出にかかる個別の数量であってもよい。個別の数量とは、たとえば、家族構成における１人前の数量である。具体的には、たとえば、あるメニューの食事の調理に際し、１人前の数量が１００ｇである牛肉の数量を１１０ｇにする修正をおこなう。
【０１１９】
選好度や数量の修正は、利用者が物品ごとに個別におこなってもよく、利用者の行動履歴に基づいてサーバ１０１が自動的におこなってもよい。具体的には、たとえば、行動履歴に基づいて、特定の物品の購入頻度が高くなった場合は、当該特定の物品の選好度を高くする修正をおこなう。
【０１２０】
（選好度修正の履歴に関する情報の一例）
図１５Ａは、選好度修正の履歴に関する情報の一例を示す説明図である。図１５Ａにおいて、サーバ１０１は、利用者ごとに、選好度を修正した履歴に関する情報（表１５０１）を記憶している。選好度を修正した履歴に関する情報は、選好度の修正をおこなった利用者の「ユーザＩＤ」、選好度の修正をおこなった「修正日時」、「修正食品」、「修正内容」、「関連項目」などを含む。
【０１２１】
このように、利用者ごとに、選好度修正の履歴に関する情報を記憶することにより、選好度の変遷の経緯を加味するとともに、最新の情報に基づいて選好リストを生成することができる。これにより、利用者の要望に柔軟に対応した選好リストを生成することができる。
【０１２２】
（選好度リストの修正結果に関する内容の一例）
図１５Ｂは、選好度リストの修正結果に関する内容の一例を示す説明図である。図１５Ｂにおいて、修正後の選好度リスト１５０２は、選好度修正の履歴に関する情報を反映して生成される。具体的には、修正前の選好度リストに対し、各物品の順位を変更した選好度リスト１５０２を生成する。
【０１２３】
（物品交換の具体例（その２））
図１６は、実施の形態２の管理方法にかかる物品交換の具体例を示す説明図（その２）である。図１６において、サーバ１０１は、複数の利用者について、各利用者の選好度リストと各利用者が出品している物品とを管理している。サーバ１０１は、出品している物品がない利用者の選好度リストも管理している。
【０１２４】
選好度リストには、たとえば、「購入頻度の高い物品」のように、利用者の現実の希望とは異なるルールにしたがって選択された交換対象物品が含まれるようにしてもよい。具体的には、たとえば、お買い物リストに登録するなどして利用者が購入を予定あるいは希望している意思表示をおこなった物品のみではなく、当該利用者についての過去の物品の購入履歴などに基づき購入頻度が高いと判断される物品が交換対象物品として含まれるような選好度リストとしてもよい。
【０１２５】
この場合、利用者は、必ずしも、選好度リストに含まれていない物品を出品するとは限らない。すなわち、「選好度リストに含まれていない物品」が必ずしも「利用者が希望していない物品」あるいは「利用者が廃棄する可能性がある物品」となるとは限らない。このため、購入頻度が高いために物品が重複した場合などは、利用者が出品する物品と同じ物品が選好度リストに含まれることがある。
【０１２６】
物品交換は、利用者ごとの、出品している物品と選好度リストにおける最高順位の物品とを比較することによっておこなう。第１の利用者が出品している第１の物品を、選好度リストにおける最高順位の物品に登録している第２の利用者がいる場合、当該第２の利用者が出品している第２の物品が第１の利用者の選好度リストにおける最高順位の物品であれば、２人の利用者の間での物品交換が成立する。サーバ１０１は、２人の利用者の間での物品交換が成立すると、第１、第２の利用者および各利用者が出品している各物品を、物品交換の対象から除外する。
【０１２７】
このように、サーバ１０１が、各利用者の選好度リストや出品した物品に基づいて物品交換を成立させることにより、物品交換の相手を利用者がそれぞれ探す場合よりも物品交換が成立しやすくなる。これにより、物品の廃棄を抑制することができる。
【０１２８】
一方、第２の利用者がいる場合であっても、当該第２の物品が第１の利用者の選好度リストにおける最高順位の物品でない場合には、２人の利用者の間での物品交換が成立しないことがある。このような場合、サーバ１０１は、以下の方法によって物品交換を成立させる。
【０１２９】
（物品交換の具体例（その３））
図１７は、実施の形態２の管理方法にかかる物品交換の具体例を示す説明図（その３）である。図１７において、２人の利用者の間で物品交換が成立しない場合、サーバ１０１は、第２の物品を選好度リストにおける最高順位の物品に登録している第３の利用者を検出する。そして、第３の利用者が出品している第３の物品が、第１の利用者の選好度リストにおける最高順位の物品であるか否かを判断する。
【０１３０】
ここで、第３の物品が、第１の利用者の選好度リストにおける最高順位の物品である場合、第１の物品を第２の利用者に、第２の物品を第３の利用者に、第３の物品を第１の利用者に提供することにより、３人の利用者の間での物品交換が成立する。図１７に示す具体例では、「笠崎さん」が第１の利用者であり、「笠崎さん」が出品する「豚肉」が第１の物品である。また、「宇都宮さん」が第２の利用者であり、「宇都宮さん」が出品する「さつまいも」が第２の物品である。「江藤さん」は第３の利用者であり、「江藤さん」が出品する「じゃがいも」が第３の物品である。
【０１３１】
サーバ１０１は、３人の利用者の間での物品交換が成立すると、第１〜第３の利用者および各利用者が出品している各物品を、物品交換の対象から除外する。図１７に示す具体例では、「笠崎さん」、「宇都宮さん」、「江藤さん」、および、「豚肉」、「さつまいも」、「じゃがいも」を物品交換の対象から除外する。
【０１３２】
このように、複数の利用者の選好度リストおよび出品する物品を管理することにより、２人の利用者の間で物品交換が成立しない場合には、第３の利用者を介在させ、３人の利用者がそれぞれ希望する物品交換を実現することができる。サーバ１０１が、物品交換にかかわる利用者の数に制限を設けることなく、各利用者の選好度リストや出品した物品に基づいて物品交換を成立させることにより、物品交換が一層成立しやすくなる。これにより、物品の廃棄を効果的に抑制することができる。
【０１３３】
（物品交換の具体例（その４））
図１８は、実施の形態２の管理方法にかかる物品交換の具体例を示す説明図（その４）である。図１８において、物品交換が成立したことにより該当する各利用者および各物品を物品交換の対象から除外した場合、サーバ１０１は、物品交換が成立していない利用者について、出品している物品と選好度リストにおける最高順位の物品とを比較することによって物品交換をおこなう。
【０１３４】
この場合、サーバ１０１は、物品交換が成立していない利用者の中から第１の利用者および第１の物品、第２の利用者および第２の物品を新たに検出する。また、サーバ１０１は、先に物品交換が成立している場合など、最高順位の交換対象物品を出品する利用者がいない場合、次順位の交換対象物品を出品する利用者を検出する。
【０１３５】
図１８に示す具体例では、第１の物品である「牛肉」を出品する「小野さん」の、最高順位の交換対象物品は「じゃがいも」であるが、「じゃがいも」を出品する「江藤さん」は既に物品交換の対象から除外されている。このため、サーバ１０１は、「小野さん」の交換対象物品である第２の物品を、「小野さん」について順位が２位の「みかん」とし、「みかん」を出品する「井坂さん」を第２の利用者として検出する。
【０１３６】
サーバ１０１は、先に物品交換が成立している状況で、２人の利用者の間で物品交換が成立しない場合も、上記と同様にして、物品交換が成立していない利用者の中から第１の利用者および第１の物品、第２の利用者および第２の物品、第３の利用者および第３の物品を検出する。
【０１３７】
このように、サーバ１０１が、選好度リストにおける順位を加味して物品交換に参加する利用者を検出することにより、物品交換が一層成立しやすくなる。これにより、物品の廃棄を効果的に抑制することができる。
【０１３８】
（物品交換の具体例（その５））
図１９は、実施の形態２の管理方法にかかる物品交換の具体例を示す説明図（その５）である。図１９において、物品交換が成立した場合、成立した物品交換にかかる物品を、以降の物品交換の対象から除外する。
【０１３９】
たとえば、図１９に示す具体例のように、「牛肉」を出品し、物品交換により「みかん」を手に入れた「小野さん」の選好度リストから、「牛肉」および「みかん」を除外する。また、「豚肉」を出品し、物品交換により「じゃがいも」を手に入れた「笠崎さん」の選好度リストから、「豚肉」および「じゃがいも」を除外する。
【０１４０】
このように、成立した物品交換にかかる物品を、物品交換が成立した時点で以降の物品交換の対象から除外することにより、物品交換を継続的に成立しやすくできる。これにより、物品の廃棄を効果的に抑制することができる。
【０１４１】
（物品交換の評価に関する具体例）
図２０は、実施の形態２の管理方法にかかる物品交換の評価に関する具体例を示す説明図である。管理システム１００においては、管理システム１００の各利用者が、物品交換に対する評価をおこなう。
【０１４２】
評価は、各利用者がおこなった物品交換についておこなう。管理システム１００は、各利用者に対して、自身が出品した物品を誰が受け取ったか、誰が出品した物品を受け取ったのかを通知しない。このため、評価は、２人以上でおこなわれた物品交換の全体に対する評価である。
【０１４３】
物品交換の評価値は、当該物品交換にかかわった利用者全員の評価の平均値とする。これにより、評価の高い物品交換に多く参加している利用者は、評価の高い良い物品を出品していると判断できる。評価値は、受け取った物品の品質、物品を受け取るまでの時間などに基づいて各利用者が決定する。評価は、たとえば、５段階評価によっておこなう。
【０１４４】
図２０に示す具体例では、管理システム１００に参加している「秋山さん」、「小野さん」、「笠崎さん」、「江藤さん」、「井坂さん」、「宇都宮さん」のうち、物品の出品のない「秋山さん」を除く５人の利用者が評価をおこなう。この場合、小野さん、笠崎さん、江藤さん、宇都宮さんがそれぞれ５点、井坂さんが４点であるため、全体の評価値は４．８点である。
【０１４５】
また、物品交換の全体に対する評価をおこなうことにより、出品する物品の品質や物品を提供するまでの時間などにあらわされる利用者の行動が、物品交換に参加した全員の評価に影響を与える。物品交換の評価の良否は、いわば、物品交換に参加した全員の連帯責任である。これにより、品質の低い物品を提供して高い品質の物品を得るなどの不正を抑止できる。
【０１４６】
（交換履歴ＤＢの内容の一例）
図２１は、交換履歴ＤＢの内容の一例を示す説明図である。図２１において、交換履歴ＤＢ２１０１には、各物品交換を識別する「交換ＩＤ」に対して、「送り手のユーザＩＤ」、「受け取り手のユーザＩＤ」、「物品」、「交換量」、「交換成立日時」、「交換完了日時」、「交換の評価」などの項目について、それぞれ情報が登録されている。
【０１４７】
交換ＩＤは、物品交換が成立するごとに、成立した物品交換に対して付与される。交換履歴ＤＢ２１０１は、送り手に対して受け取り手を関連づけて記憶する。１つの物品交換に何人の利用者が参加したかは、同一の交換ＩＤが付与されたレコード数で判断できる。交換完了日時は、たとえば、物品を受け取った利用者が、利用者端末装置１０２を介して入力する。
【０１４８】
以上説明したように、実施の形態２にかかる管理方法、管理プログラム、管理システムおよび管理装置にあっては、廃棄する可能性のある物品どうしの、１対１での物品交換が成立しない場合にも、３人以上の物品交換を成立させることができる。これにより、物品交換を成立しやすくして、物品の廃棄を効果的に抑制することができる。
【０１４９】
（実施の形態３）
（管理システムの機能的構成）
図２２は、実施の形態３の管理システムの機能的構成の一例を示す説明図である。図２２において、管理システム１００は、物品保管庫２２００、サーバ１０１、第１の利用者端末装置１０２Ａ、第２の利用者端末装置１０２Ｂから構成される。
【０１５０】
物品保管庫２２００は、複数設けられ、それぞれが、成立した物品交換にかかる物品を保管する保管室と、保管室を施錠・開錠可能な扉とを備えている。物品保管庫２２００は、たとえば、冷蔵機能を備えた保管室（冷蔵室）を複数備える冷蔵庫によって実現する。物品保管庫２２００は、公共交通機関の駅、自治会が管理する集会所などの施設、マンションなどの集合住宅のロビー、小学校や中学校の敷地内など、複数が利用する場所に設置する。
【０１５１】
サーバ１０１は、交換指定受付部２２０１、格納検出部２２０２、開錠情報送信部２２０３を有する。サーバ１０１は、実際の物品の交換に先立って、成立した物品交換にかかる交換ＩＤを、当該物品交換に参加する利用者の利用者端末装置１０２Ａ、１０２Ｂに送信する。
【０１５２】
交換指定受付部２２０１は、第１の利用者の第１の物品と第２の利用者の第２の物品との間の交換の指定を受け付ける。交換の指定は、第１の利用者端末装置１０２Ａおよび第２の利用者端末装置１０２Ｂから、参加する物品交換の交換ＩＤを受信することによっておこなう。交換の指定は、第１の利用者および第２の利用者の双方から交換ＩＤを受信することによって完了する。
【０１５３】
サーバ１０１は、交換の指定が完了すると、第１の利用者および第２の利用者に、物品を保管する物品保管庫２２００を通知する。第１の利用者が第１の物品を保管する物品保管庫２２００が第１の物品保管庫であり、第２の利用者が第２の物品を保管する物品保管庫２２００が第２の物品保管庫である。通知を受けた第１の利用者および第２の利用者は、それぞれ、出品する物品を指定された物品保管庫２２００に保管する。
【０１５４】
格納検出部２２０２は、第１の物品保管庫に第１の物品が格納されたこと、および、第２の物品保管庫に第２の物品が格納されたことを検出する。具体的には、たとえば、各物品保管庫２２００に重量センサを設け、格納検出部２２０２は、重量センサの出力値に基づいて物品が格納されたことを検出する。
【０１５５】
また、格納検出部２２０２は、一度格納された物品が、回収されたことを検出する。具体的には、物品が格納された物品保管庫２２００を施錠した後に開錠され、格納された物品が物品保管庫２２００からなくなった場合に、一度格納された物品が回収されたことを検出する。
【０１５６】
開錠情報送信部２２０３は、格納検出部２２０２による検出後に、第１の利用者に対して、第２の物品保管庫の開錠に用いられる情報を送信する。また、開錠情報送信部２２０３は、格納検出部２２０２による検出後に、第２の利用者に対して、第１の物品保管庫の開錠に用いられる情報を送信する。
【０１５７】
開錠情報送信部２２０３は、物品保管庫２２００の開錠に用いられる情報とあわせて、第１の利用者および第２の利用者に対して、受け取る物品が保管されている物品保管庫２２００に関する情報を送信する。これにより、各利用者は、自分が受け取る物品が保管されている物品保管庫２２００を知ることができる。
【０１５８】
また、開錠情報送信部２２０３は、物品保管庫２２００に対して、開錠に用いられる情報を送信する。
【０１５９】
第１の利用者および第２の利用者は、開錠情報送信部２２０３から送信された情報を用いて、該当する物品保管庫２２００を開錠する操作をおこなう。物品保管庫２２００を開錠する操作は、たとえば、開錠情報送信部２２０３から送信された情報を、利用者端末装置１０２Ａ、１０２Ｂからそれぞれ開錠情報送信部２２０３に送信することによっておこなう。
【０１６０】
この場合、開錠情報送信部２２０３は、利用者から送信された情報が、物品保管庫２２００の開錠に用いられる情報である場合に、該当する物品保管庫２２００に対して、各保管室を開錠する信号を送信する。物品保管庫２２００は、開錠情報送信部２２０３から送信した信号を受信し、受信した信号に基づいて該当する保管室のみを開錠する。
【０１６１】
また、開錠情報送信部２２０３は、一度、物品が格納されたことを検出した場合、検出後に、第１の利用者が第１の物品を取り出すことや、第２の利用者が第２の物品を取り出すことを禁止する。具体的に、開錠情報送信部２２０３は、開錠に用いられる情報を送信した後は、当該情報の送信先の利用者から、開錠に用いられる情報を受信した場合以外は、扉を開錠しない。
【０１６２】
（検出および抽出処理手順の一例）
図２３は、実施の形態３の管理方法にかかる検出および抽出処理手順の一例を示すフローチャートである。図２３のフローチャートにおいて、まず、交換の指定を受け付けるまで待機する（ステップＳ２３０１：Ｎｏ）。そして、交換の指定を受け付けた場合（ステップＳ２３０１：Ｙｅｓ）、物品交換の対象となる両方の物品の格納を検出するまで待機する（ステップＳ２３０２：Ｎｏ）。
【０１６３】
物品交換の対象となる両方の物品の格納を検出した場合（ステップＳ２３０２：Ｙｅｓ）、物品の格納を検出した物品保管庫２２００からの物品の取り出しを禁止する（ステップＳ２３０３）。具体的には、物品の格納を検出した物品保管庫２２００の扉を施錠することによって、該当する物品保管庫２２００からの物品の取り出しを禁止する。その後、第１の利用者および第２の利用者に対して、互いの物品保管庫２２００の開錠情報を送信して（ステップＳ２３０４）、一連の処理を終了する。
【０１６４】
（管理サービスの概要の一例）
図２４は、実施の形態３の管理方法にかかる管理サービスの概要の一例を示す説明図である。図２４において、管理システム１００を利用して提供する管理サービスは、特定のグループ内での物品交換を成立させる。特定のグループは、たとえば、同じマンションに居住する住人、同じ自治会の会員、同じ学校のＰＴＡ会員、特定の店舗に会員登録した会員などによって構成される。また、特定のグループは、たとえば、特定の駅の利用者によって構成してもよい。
【０１６５】
図２４に示す例では、同じマンション「オオタマンション」に居住する住人で構成されるグループ２４０１、同じ自治会「スミダ自治会」の会員で構成されるグループ２４０２、同じ学校のＰＴＡ会員で構成されるグループ２４０３を示す。グループ２４０１に所属する利用者は、物品保管庫２２００と同様の構成をなす共有冷蔵庫２２００ａや、マンションの各戸に設置された複数の冷蔵庫２４１２ａ〜２４１２ｄを利用して物品交換をおこなうことができる。
【０１６６】
また、グループ２４０２に所属する利用者は、物品保管庫２２００と同様の構成をなす共有冷蔵庫２２００ｂや、スミダ自治会に属する家庭に設置された複数の冷蔵庫２４２２ａ〜２４１２ｄを利用して物品交換をおこなうことができる。同様に、グループ２４０３に所属する利用者は、物品保管庫２２００と同様の構成をなす共有冷蔵庫２２００ｃや、チヨダ小学校ＰＴＡ会員の各家庭に設置された複数の冷蔵庫２４２２ａ〜２４１２ｄを利用して物品交換をおこなうことができる。
【０１６７】
このような特定のグループに限定した範囲内での物品交換を成立させることにより、素性の分からない利用者がいることによる不安を解消し、食品などのように、有効に利用できる期限（賞味期限）が短く、かつ、健康にかかわる性質の物品を安心して交換の対象とすることができる。
【０１６８】
管理サービスの利用者は、管理サービスの利用に先立って、自身が所属するグループを選択する。所属するグループは、複数選択することができるようにしてもよい。これにより、たとえば、図２４に例を示すように、「オオタマンション」に居住する住人で構成されるグループ２４０１と、通学先のチヨダ学校ＰＴＡ会員で構成されるグループ２４０３と、のように複数のグループに所属して管理サービスを利用することができる。
【０１６９】
さらに、管理システム１００を用いた管理サービスは、小売店２４０４などの食品の供給者が管理サービスを管理運営してもよい。これにより、供給者である小売店２４０４の経営者は、自身の端末装置２４４１を操作して、需要者である利用者の食品在庫を確認することができ、必要十分な食品量を確保することができる。
【０１７０】
以上説明したように、実施の形態３にかかる管理方法、管理プログラム、管理システムおよび管理装置にあっては、成立した物品交換にかかる物品を、物品保管庫２２００を用いて、安全に受け渡すことができる。これにより、物品の買いすぎや、買いすぎによる廃棄を抑制することができるとともに、意図せず余剰となった物品を有効に利用して廃棄を抑制することができる。
【０１７１】
従来は、消費者の手元に余った食品は、近隣住民などへの「お裾分け」によって有効に消費されていた。近年、このようなお裾分けの文化は、近隣住民間の交流の減少などにより廃れつつある。本来、消費者は手元に食品が余らないように、有効に消費できる量を購入することが好ましいという一方で、少量の食品を購入することは割高であることから敬遠され、結果として消費者の手元に余った食品が廃棄される傾向にある。
【０１７２】
これに対し、上記各実施の形態の管理方法、管理プログラム、管理システムおよび管理装置にあっては、「買いすぎを予防する仕組み」と「気軽に食品を分け合える仕組み」を提供することができる。これにより、社会全体において、食品をはじめとする物品の廃棄を抑制することができる。
【０１７３】
また、上記各実施の形態の管理方法、管理プログラム、管理システムおよび管理装置にあっては、小売店などの食品の供給者が管理サービスを管理運営することにより、「需要者の食品在庫を供給者が見える仕組み」を提供することができる。これにより、利用者にとって必要十分な食品量を確保することが可能となり、社会全体において、食品をはじめとする物品の廃棄を抑制することができる。
【０１７４】
なお、本実施の形態で説明した管理方法は、あらかじめ用意されたプログラムをパーソナル・コンピュータやワークステーションなどのコンピュータで実行することにより実現することができる。表示プログラムは、ハードディスク、ＳＳＤ（Ｓｏｌｉｄ  Ｓｔａｔｅ  Ｄｒｉｖｅ）、ＣＤ（Ｃｏｍｐａｃｔ  Ｄｉｓｃ）−ＲＯＭ、ＭＯ（Ｍａｇｎｅｔｏ−Ｏｐｔｉｃａｌ  Ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリなどのコンピュータで読み取り可能な記録媒体に記録され、コンピュータによって記録媒体から読み出されることによって実行される。また、表示プログラムは、インターネットなどのネットワークを介して配布してもよい。
【０１７５】
上述した実施の形態に関し、さらに以下の付記を開示する。
【０１７６】
（付記１）利用者が過去に物品を廃棄した履歴に関する廃棄履歴情報を記憶し、
前記利用者に物品を提示する際に、前記廃棄履歴情報に基づいて、当該物品の全部または一部が、前記廃棄した物品に該当するか否かを判断し、
前記判断結果に基づいて、前記利用者に対して、該当する物品に関する情報を含む注意情報を出力する、
処理をコンピュータが実行することを特徴とする管理方法。
【０１７７】
（付記２）利用者が過去に物品を廃棄した履歴に関する廃棄履歴情報を記憶し、
前記廃棄履歴情報に基づいて、前記利用者が購入予定として登録された物品、前記利用者が表示した電子広告情報に含まれる物品、または、使用予定の状態に設定された電子クーポンの割引対象の物品が、前記廃棄した物品に該当するか否かを判断し、
前記判断結果に基づいて、前記利用者に対して、該当する物品に関する情報を含む注意情報を出力する、
処理をコンピュータが実行することを特徴とする管理方法。
【０１７８】
（付記３）利用者が過去に物品を廃棄した履歴に関する廃棄履歴情報と、当該利用者の所有物品に関する所有物品情報と、を記憶し、
前記廃棄履歴情報に基づいて、前記所有物品のうち、前記利用者が廃棄する可能性がある第１の物品を推定し、
前記第１の物品に関する情報を出力する、
処理をコンピュータが実行することを特徴とする管理方法。
【０１７９】
（付記４）複数の利用者からそれぞれ、前記第１の物品と、当該第１の物品の交換対象の第２の物品の指定を受け付け、
前記複数の利用者の中から、他人の前記第２の物品を廃棄する可能性がある利用者と、他人の前記第１の物品を交換対象としている利用者と、を検出し、
前記利用者を物品交換をおこなう候補として抽出する、
処理をコンピュータが実行することを特徴とする付記３に記載の管理方法。
【０１８０】
（付記５）複数の利用者から受け付けた前記第１の物品を前記複数の利用者それぞれに応じた優先順位で出力し、
複数の利用者からそれぞれ、前記第１の物品と、当該第１の物品の交換対象の第２の物品の指定を受け付け、
前記複数の利用者の中から、他人の前記第２の物品を廃棄する可能性がある利用者と、
他人の前記第１の物品を交換対象としている利用者と、を検出し、
前記利用者を物品交換をおこなう候補として抽出する、
処理をコンピュータに実行させることを特徴とする付記３に記載の管理方法。
【０１８１】
（付記６）第１の利用者から、前記第１の物品の交換対象の第２の物品の指定を受け付け、
前記第２の物品を廃棄する可能性があり、前記第１の物品を交換対象としている第２の利用者を検出し、
前記第１の利用者と前記第２の利用者を物品交換をおこなう候補として抽出する、
処理をコンピュータが実行することを特徴とする付記４に記載の管理方法。
【０１８２】
（付記７）第１の利用者から、前記第１の物品の交換対象の第２の物品の指定を受け付け、
前記第２の物品を廃棄する可能性があり、第３の物品を交換対象としている第２の利用者を検出し、
前記第３の物品を廃棄する可能性があり、前記第１の物品を交換対象としている第３の利用者を検出し、
前記第１の利用者と前記第２の利用者と前記第３の利用者を物品交換をおこなう候補として抽出する、
処理をコンピュータが実行することを特徴とする付記４に記載の管理方法。
【０１８３】
（付記８）第１の利用者が過去に物品を廃棄した履歴に関する廃棄履歴情報と、当該第１の利用者の所有物品に関する所有物品情報と、を取得し、
前記廃棄履歴情報と、前記所有物品情報と、に基づいて、前記所有物品のうち、前記第１の利用者が廃棄する可能性がある第１の物品を推定し、
前記第１の物品に関する情報を出力する、
処理をコンピュータが実行することを特徴とする管理方法。
【０１８４】
（付記９）第１の利用者の第１の物品と第２の利用者の第２の物品との間の交換の指定を受け付け、
第１の物品保管庫に前記第１の物品が格納されたこと、および、第２の物品保管庫に前記第２の物品が格納されたことを検出し、
前記検出後に、前記第１の利用者に対して、前記第２の物品保管庫の開錠に用いられる情報を送信し、前記第２の利用者に対して、前記第１の物品保管庫の開錠に用いられる情報を送信する、
処理をコンピュータが実行することを特徴とする管理方法。
【０１８５】
（付記１０）前記検出後に、前記第１の利用者が前記第１の物品を取り出すこと、および、前記第２の利用者が前記第２の物品を取り出すこと、を禁止することを特徴とする付記８に記載の管理方法。
【０１８６】
（付記１１）利用者が過去に物品を廃棄した履歴に関する廃棄履歴情報を記憶し、
前記利用者に物品を提示する際に、前記廃棄履歴情報に基づいて、当該物品の全部または一部が、廃棄した物品に該当するか否かを判断し、
前記判断結果に基づいて、前記利用者に対して、該当する物品に関する情報を含む注意情報を出力する、
処理をコンピュータに実行させることを特徴とする管理プログラム。
【０１８７】
（付記１２）利用者が過去に物品を廃棄した履歴に関する廃棄履歴情報を記憶し、
前記廃棄履歴情報に基づいて、前記利用者が購入予定として登録された物品、前記利用者が表示した電子広告情報に含まれる物品、または、使用予定の状態に設定された電子クーポンの割引対象の物品が、前記廃棄した物品に該当するか否かを判断し、
前記判断結果に基づいて、前記利用者に対して、該当する物品に関する情報を含む注意情報を出力する、
処理をコンピュータに実行させることを特徴とする管理プログラム。
【０１８８】
（付記１３）第１の利用者が過去に物品を廃棄した履歴に関する廃棄履歴情報と、当該第１の利用者の所有物品とに関する所有物品情報と、を記憶し、
前記廃棄履歴情報に基づいて、前記所有物品のうち、前記第１の利用者が廃棄する可能性がある第１の物品を推定し、
前記第１の物品に関する情報を出力する、
処理をコンピュータに実行させることを特徴とする管理プログラム。
【０１８９】
（付記１４）第１の利用者の第１の物品と第２の利用者の第２の物品との間の交換の指定を受け付け、
第１の物品保管庫に前記第１の物品が格納されたこと、および、第２の物品保管庫に前記第２の物品が格納されたことを検出し、
前記検出後に、前記第１の利用者に対して、前記第２の物品保管庫の開錠に用いられる情報を送信し、前記第２の利用者に対して、前記第１の物品保管庫の開錠に用いられる情報を送信する、
処理をコンピュータに実行させることを特徴とする管理プログラム。
【０１９０】
（付記１５）利用者の情報端末装置と、サーバと、を備える管理システムであって、
前記利用者の情報端末装置が、
前記利用者が過去に物品を廃棄した履歴に関する廃棄履歴情報をサーバへ送信し、
前記サーバが、
前記廃棄履歴情報を情報端末装置から受信し、
物品の提示に関する情報を前記利用者の情報端末装置へ送信する際に、前記廃棄履歴情報に基づいて、当該物品の全部または一部が、前記廃棄した物品に該当するか否かを判断し、
前記判断結果に基づいて、該当する物品に関する情報を含む注意情報を前記利用者の情報端末装置へ送信し、
前記利用者の情報端末装置が、
前記注意情報を前記サーバから受信し、
前記注意情報を出力する、
ことを特徴とする管理システム。
【０１９１】
（付記１６）利用者の情報端末装置と、サーバと、を備える管理システムであって、
前記利用者の情報端末装置が、
前記利用者が過去に物品を廃棄した履歴に関する廃棄履歴情報と、前記利用者が購入予定として登録された物品、前記利用者が表示した電子広告情報に含まれる物品、および、使用予定の状態に設定された電子クーポンの割引対象の物品のすくなくともいずれかの物品に関する物品情報と、をサーバへ送信し、
前記サーバが、
前記廃棄履歴情報と、前記物品情報と、を情報端末装置から受信し、
前記廃棄履歴情報に基づいて、前記物品情報にかかる物品が、前記廃棄した物品に該当するか否かを判断し、
前記判断結果に基づいて、該当する物品に関する情報を含む注意情報を前記利用者の情報端末装置へ送信し、
前記利用者の情報端末装置が、
前記注意情報を前記サーバから受信し、
前記注意情報を出力する、
ことを特徴とする管理システム。
【０１９２】
（付記１７）第１の利用者の情報端末装置と、サーバと、を備える管理システムであって、
前記第１の利用者の情報端末装置が、
前記第１の利用者が過去に物品を廃棄した履歴に関する廃棄履歴情報と、当該第１の利用者の所有物品に関する所有物品情報と、をサーバへ送信し、
前記サーバが、
前記廃棄履歴情報と、前記所有物品情報と、を情報端末装置から受信し、
前記廃棄履歴情報と、前記所有物品情報と、に基づいて、前記所有物品のうち、前記第１の利用者が廃棄する可能性がある第１の物品を推定し、
前記第１の利用者の情報端末装置または前記第１の利用者とは別の第２の利用者の情報端末装置へ送信する、
ことを特徴とする管理システム。
【０１９３】
（付記１８）利用者の情報端末装置から、過去に物品を廃棄した履歴に関する廃棄履歴情報を受信し、
物品の提示に関する情報を前記利用者の情報端末装置へ送信する際に、前記廃棄履歴情報に基づいて、当該物品の全部または一部が、廃棄した物品に該当するか否かを判断し、
前記判断結果に基づいて、該当する物品に関する情報を含む注意情報を前記利用者の情報端末装置へ送信する、
制御部を備えることを特徴とする管理装置。
【０１９４】
（付記１９）第１の利用者が過去に物品を廃棄した履歴に関する廃棄履歴情報と、当該第１の利用者の所有物品に関する所有物品情報と、を記憶する記憶部と、
前記廃棄履歴情報に基づいて、前記所有物品のうち、前記第１の利用者が廃棄する可能性がある第１の物品を推定する推定部と、
前記第１の物品に関する情報を出力する出力部と、
を備えることを特徴とする管理装置。
【０１９５】
（付記２０）第１の利用者の第１の物品と第２の利用者の第２の物品との間の交換の指定を受け付ける受付部と、
第１の物品保管庫に前記第１の物品が格納されたこと、および、第２の物品保管庫に前記第２の物品が格納されたことを検出する検出部と、
前記検出後に、前記第１の利用者に対して、前記第２の物品保管庫の開錠に用いられる情報を送信し、前記第２の利用者に対して、前記第１の物品保管庫の開錠に用いられる情報を送信する送信部と、
を備えることを特徴とする管理装置。
【符号の説明】
【０１９６】
１００  管理システム
１０１  サーバ
１０２  利用者端末装置
４０１  食品在庫兼廃棄履歴ＤＢ
６０１  廃棄履歴情報記憶部
６０２  廃棄履歴情報・物品情報送信部
６０３  受信部
６５１  廃棄履歴情報・物品情報受信部
６５２  判断部
６５３  送信部
７０１  アラート画面
９０１  廃棄履歴情報・所有物品情報記憶部
９０２  廃棄履歴情報・所有物品情報・交換対象物品情報送信部
９０３  受信部
９０４  出力部
９５１  廃棄履歴情報・所有物品情報・交換対象物品情報受信部
９５２  推定部
９５３  対象者検出部
９５４  候補抽出部
９５５  送信部
１２０１  選好ルールＤＢ
１４０１  選好リストＤＢ
１５０１  選好リスト修正履歴
２１０１  交換履歴ＤＢ
２２００  物品保管庫
２２０１  交換指定受付部
２２０２  格納検出部
２２０３  開錠情報送信部
【図１】
2018205985.tif 000003
【図２】
2018205985.tif 000004
【図３】
2018205985.tif 000005
【図４】
2018205985.tif 000006
【図５】
2018205985.tif 000007
【図６】
2018205985.tif 000008
【図７】
2018205985.tif 000009
【図８Ａ】
2018205985.tif 000010
【図８Ｂ】
2018205985.tif 000011
【図９】
2018205985.tif 000012
【図１０】
2018205985.tif 000013
【図１１】
2018205985.tif 000014
【図１２】
2018205985.tif 000015
【図１３】
2018205985.tif 000016
【図１４】
2018205985.tif 000017
【図１５Ａ】
2018205985.tif 000018
【図１５Ｂ】
2018205985.tif 000019
【図１６】
2018205985.tif 000020
【図１７】
2018205985.tif 000021
【図１８】
2018205985.tif 000022
【図１９】
2018205985.tif 000023
【図２０】
2018205985.tif 000024
【図２１】
2018205985.tif 000025
【図２２】
2018205985.tif 000026
【図２３】
2018205985.tif 000027
【図２４】
2018205985.tif 000028